(57)【要約】【課題】通常想定できないような特殊な故障の故障調査を実施するとき、当該昇降機を停止させることなく、確実な故障調査を可能にした昇降機故障状態表示装置を提供する。【解決手段】各設定情報を信号群から構成したシーケンスを前記昇降機故障状態表示装置２１の記憶部に予め格納しておくと共に、前記昇降機１から収集した故障コードから故障に起因する信号を割出し、前記各設定情報をシーケンス化した信号群と突合せ、故障に起因する幾つかの前記信号群シーケンスに絞り込んだものを前記各設定情報（故障補足データ）として、前記昇降機故障状態表示装置２１から、前記一般公衆回線１０を介して遠隔で前記故障調査昇降機に前記各設定情報（故障補足データ）を短時間で設定する手段を設けた。【選択図】図１
2005206320.tif 000002
【特許請求の範囲】
【請求項１】
昇降機に故障が発生したとき、前記故障が発生したときの昇降機の様々な信号の状態を保存しておく機能と、前記昇降機の様々な信号を任意に設定変更が可能な機能と、前記昇降機の様々な信号の状態を保存する条件を任意に設定変更が可能な機能を備えた昇降機と、この昇降機と一般公衆回線を介して通信を行い、前記信号を遠隔にて受信する機能、及び前記昇降機に対して故障調査用の情報を送信する機能を備えた昇降機故障表示装置において、
昇降機に通常想定することができないような特殊な故障が発生したとき、予め種々の故障状態コードに見合う故障要因の信号群をシーケンス化しておき、通常想定することができないような特殊な故障が発生したとき、昇降機保守会社の事務所にて読み出した故障状態コードから、前記シーケンス化した信号群と突合せ、故障に起因する信号を絞り込んだ後に、その信号を調査する指令を、前記保守会社の事務所から一般公衆回線を利用し、遠隔で任意に設定可能とし更に、その結果を読み出すことにより、前記昇降機が設置されている建物に出張することなく、かつ前記昇降機を停止させることなく、故障調査が短時間で行えることを特徴とする昇降機故障状態表示装置。
【請求項２】
前記昇降機に伝送する前記故障調査のデータを一度圧縮し更に、前記一般公衆回線にてファイル伝送する際に再び圧縮する伝送手段を備えた昇降機故障状態表示装置。
【請求項３】
前記昇降機の様々な信号の捕捉する信号情報をパターン化することにより、容易に設定変更を可能とする昇降機故障状態表示装置。
【発明の詳細な説明】
【技術分野】
【０００１】
本発明は、昇降機故障状態表示装置に係わり、特に、顧客都合により昇降機を停止させることが不可能な昇降機の故障調査を実施するときに、昇降機保守会社の事務所内で、任意の時間帯に故障調査を行うことを可能とした昇降機故障状態表示装置に関する。
【背景技術】
【０００２】
一般に、昇降機に故障が発生したとき、故障原因の調査を目的とした情報として、昇降機が故障したときの昇降機の様々な信号の状態を昇降機の記憶部に保存する。昇降機保守会社が故障調査を行うときは、前記保守会社の技術者が、前記昇降機が設置されている建物に出動し、調査を行う為に昇降機を停止させ、前記記憶部に保存してある前記昇降機の様々な信号の状態を読み取り、故障原因の調査を行う。（特許文献１参照）
ところで、前記昇降機の様々な信号は、前記昇降機の記憶部の容量制限から、前記昇降機の全ての信号を保存しているわけではなく、故障調査に有効と考えられる信号のみを保存している為、通常想定することができないような特殊な故障が発生した場合、必要な信号が保存されておらず故障の原因を特定することができない場合がある。この場合、前記技術者が前記特殊な故障の調査用の情報として有効と考えられる昇降機の信号を選択して、前記昇降機に再度故障が発生したときに、前記昇降機の記憶部に保存するように昇降機の設定情報を変更する必要がある。そこで、前記昇降機の記憶部に保存した信号の状態を保守会社から遠隔で読み出せるようにしている。
【０００３】
しかしながら、前記記憶部に保存してある前記昇降機の様々な信号の状態を読み取るには、大量の情報を読み出す必要があることと長時間公衆回線を使用するために多大な通信費用が発生する。
【特許文献１】特開平５−２０１６３７（段落番号０００９〜００１７，図１）
【発明の開示】
【発明が解決しようとする課題】
【０００４】
前記既知の昇降機故障状態表示装置は、前記昇降機の記憶部に保存した信号の状態を保守会社から遠隔で読み出せるようにしているものの大量の情報を読み出す必要があり長時間公衆回線を使用することになる。また、故障調査に有効と考えられる信号のみを保存している為、通常想定することができないような特殊な故障が発生した場合、必要な信号が保存されておらず故障の原因を特定することができないため、前記技術者の判定で想定する有効と考えられる全ての調査用設定情報を、前記昇降機の記憶部に保存するように昇降機の設定情報を伝送していた。このため、前記記憶部に保存した前記昇降機の様々な信号の状態を読み取るには、大量の情報を読み出す必要があることと長時間公衆回線を使用することになる。
【０００５】
本発明は、このような問題を解決するもので、その目的は予め種々の故障状態コードに見合う故障要因の信号群をシーケンス化しておき、通常想定することができないような特殊な故障が発生したとき、昇降機保守会社の事務所にて読み出した故障状態コードから、前記シーケンス化した信号群と突合せ、故障に起因する信号を絞り込んだ後に、その信号を調査する指令を、前記保守会社の事務所から一般公衆回線を利用し、遠隔で任意に設定可能とする。更に、その結果を読み出せることにより、前記昇降機が設置されている建物に出張することなく、かつ前記昇降機を停止させることはなく、また、予め故障調査する信号を絞り込んだ後に前記昇降機の記憶部に伝送するため、その情報量も極力少なくすることから、長時間回線を占有することなく故障調査が短時間で行えることを特徴とする昇降機故障状態表示装置を提供することにある。
【課題を解決するための手段】
【０００６】
前記目的を達成させる為に、本発明による昇降機故障状態表示装置は、少なくとも、制御部、通信部、表示部、入力部、及び記憶部を備え、昇降機保守会社の事務所内に設置する。さらに、前記故障調査昇降機は、少なくとも、制御部、通信部、及び記憶部を備えており、前記昇降機故障状態表示装置とは一般公衆回線を介して結合される。前記故障調査昇降機の前記記憶部には、昇降機の様々な信号がどのような状態になったときに故障調査用の情報を保存するか（捕捉するか）の設定情報、前記設定情報により保存する前記信号の設定情報、及び故障調査用の情報を保存する。前記昇降機故障状態表示装置は、前記故障調査昇降機に故障が発生した場合、前記故障調査昇降機から前記一般公衆回線を介して昇降機の故障調査用の情報を取得し表示する手段と、前記各設定情報を前記一般公衆回線を介して設定変更を可能とする手段を具備している。
【０００７】
前記手段によれば、昇降機に故障が発生した場合、前記故障調査昇降機から故障調査用の情報を遠隔で取得し、前記昇降機故障状態表示装置で表示させ、故障調査を実施する。しかし、上記故障が通常想定できないような特殊な場合で故障調査に必要な情報が取得できなかった場合、前記各設定情報を前記一般公衆回線を介して、前記昇降機故障状態表示装置から前記必要な情報を取得できるように遠隔で設定変更を可能とすることにより、前記通常想定できないような特殊な故障の場合でも故障調査を実施することができる。この場合、昇降機保守会社の技術者は、故障調査のために昇降機が設置されている建物に出張する必要がなく、また昇降機を停止させることなく故障調査を実施することができる。
【０００８】
さらに、前記各設定情報を信号群から構成したシーケンスを前記昇降機故障状態表示装置の記憶部に予め格納しておくと共に、前記昇降機から収集した故障コードから故障に起因する信号を割出し、前記各設定情報をシーケンス化した信号群と突合せ、故障に起因する幾つかの前記信号群シーケンスに絞り込んだものを前記各設定情報（故障補足データ）として、前記昇降機故障状態表示装置から、前記一般公衆回線を介して遠隔で前記故障調査昇降機に前記各設定情報（故障補足データ）を短時間で設定することができる。
【０００９】
また、前記昇降機故障状態表示装置から前記故障調査昇降機に伝送する前記各設定情報（故障補足データ）を一度圧縮し更に、前記一般公衆回線にてファイル伝送する際に再び圧縮する伝送手段を備えたことで極力少ない情報量（データ量）で前記故障調査昇降機に設定することができる。
【発明の効果】
【００１０】
以上説明したように、本発明によれば、通常想定することができないような特殊な故障の故障調査を行うとき、当該昇降機を停止させることなく効率的に故障調査を実施することができる。
【発明を実施するための最良の形態】
【００１１】
以下、本発明の実施の形態を図面を参照して説明する。
【００１２】
図１は、本発明による昇降機故障状態表示装置の一つの実施の形態を示すブロック構成図であり、図２は故障調査方法の一実施形態を示すフローチャートである。
【００１３】
図１において、１は昇降機、２は制御部、３は通信部、４は第１記憶部、５は第２記憶部、６は第３記憶部、１０は一般公衆回線、２１は昇降機故障状態表示装置、２２は制御部、２３は通信部、２４は表示部、２５は入力部、２６は第１記憶部、２７は第２記憶部、２８は第３記憶部、２９は第４記憶部である。
【００１４】
昇降機１の制御に関する構成において、通信部３、及び第１記憶部４、第２記憶部５、第３記憶部６は、制御部２と接続されており、昇降機故障状態表示装置２１において、通信部２３、表示部２４、入力部２５、第１記憶部２６、第２記憶部２７、第３記憶部２８、第４記憶部２９は、制御部２２と接続されている。また、昇降機１と昇降機故障状態表示装置２１は、一般公衆回線１０を介して、図１に示されるように接続されている。
【００１５】
昇降機１において、第１記憶部４には、昇降機１に故障が発生したときに、故障調査用の情報（故障コード）を格納し、第２記憶部５には、前記故障データを捕捉する為の条件情報（捕捉トリガ条件）を格納する。第３記憶部６には、昇降機１のどの情報を前記故障データとするかの情報（捕捉デバイス情報）を保存している。通信部３は一般公衆回線１０と接続する為の通信機能を有しており、これらは制御部２により制御されている。
【００１６】
昇降機故障状態表示装置２１において、第１記憶部２６には、昇降機１の第１記憶部４から取得した故障データを格納し、第２記憶部２７には、昇降機１の第２記憶部５と同じ捕捉トリガ条件、第３記憶部２８には、昇降機１の第３記憶部６と同じ捕捉デバイス情報をそれぞれ格納する。第４記憶部２９には、任意変更する捕捉トリガ条件、及び捕捉デバイス情報のパターンを複数種類格納されており、必要に応じて読み出すことができるものとする。入力部２５は、昇降機故障状態表示装置２１を操作する機能を有し、表示部２４により故障調査用の情報を確認する。通信部２３は一般公衆回線１０と接続する為の通信機能を有しており、これらは制御部２２により制御されている。
【００１７】
昇降機の故障調査の一つの運用形態を図１と図２のフロー図を用いて説明する。
【００１８】
昇降機保守会社の技術者は、Ｓ１０において通常想定することのできないような特殊な故障の故障調査を行う場合、Ｓ１１において、昇降機故障状態表示装置２１を用いて昇降機１の第１記憶部４から故障コードを遠隔で取得し、昇降機故障状態表示装置２１の第１記憶部２６に格納する。同時に第２記憶部５、及び第３記憶部６に保存されている捕捉トリガ条件、及び捕捉デバイス情報も遠隔で取得し、第２記憶部２７、及び第３記憶部２８に格納する。
【００１９】
次にＳ１２において、Ｓ１１で取得した故障コードから予め故障コードと故障に起因するデバイス群のシーケースチャートを絞り込み作成する。
【００２０】
次にＳ１３において、昇降機故障状態表示装置２１にて、故障調査に必要な最低限の数のデータを捕捉するように最小限の捕捉トリガ条件を作成し、第２記憶部２７に作成した捕捉トリガ条件を保存する。
【００２１】
次にＳ１４において、前記、最小限の捕捉トリガ条件に合わせ、故障調査に必要な最低限の数の最小限の捕捉デバイス情報を作成し、第３記憶部２８に作成した捕捉デバイス情報を保存する。
【００２２】
次にＳ１５おいて、Ｓ１２、Ｓ１３にて作成、保存した最小限の捕捉トリガ条件、及び捕捉デバイス情報を、一般公衆回線１０を介して昇降機１に送信する。何れの情報は、故障調査における必要最小限の情報量を昇降機１に伝送する。また、何れの情報（データ）は一度、圧縮し、昇降機１にファイル伝送する時点で更に、ファイル圧縮を行い、伝送データ量を短くしている。これにより、伝送時間が短縮され一般公衆回線の使用時間も短縮する。
【００２３】
その後、昇降機１の制御部２は、捕捉トリガ条件、及び捕捉デバイス情報を受信し、第２記憶部５、及び第３記憶部６に格納する。昇降機１に故障が再発したとき、前記設定した捕捉トリガ条件、及び捕捉デバイス情報を基に、再度故障調査を開始し捕捉が終了したら、昇降機１の制御部２から昇降機故障状態表示装置２１にその結果を通知する。
【００２４】
次にＳ１６において、昇降機故障状態表示装置２１に捕捉したデバイスのタイミングチャート図３を表示する。技術者が画面に表示したタイミングチャートから故障状況を把握する。この時点で故障内容が明確になり調査終了となれば作業を終了する。ところが、複雑な故障の場合、高度な技術を習得した技術者が詳細な故障調査をその後、継続できるようにしている。その手段として、図に示す「捕捉条件変更」の釦を押すと各捕捉トリガ条件、捕捉デバイス情報、デバイス群のシーケンスチャートを個々に設定変更できる画面の図４を表示する。
【００２５】
図４において、Ａ１は設定表示画面、Ａ２は捕捉デバイス情報一覧表、Ａ２１は捕捉デバイス名称、Ａ２２は捕捉デバイス、Ａ２３は捕捉デバイスのアドレス、Ａ３は捕捉トリガ条件判定回路図、Ａ４はＡ３に示す回路図の判定条件一覧表、Ａ４１は前記判定条件の各番号、Ａ４２は前記判定条件に使用するデバイス、Ａ４３は前記判定条件に使用するデバイスのアドレス、Ａ４４は前記判定条件に使用する判定式、Ａ４５は前記判定条件に使用する判定値、Ａ５は予め複数種類パターン化してあるＡ３の捕捉トリガ判定回路の選択パターン番号、Ａ６は設定した捕捉デバイス情報、及び捕捉トリガ条件を、昇降機１に送信するボタンである。
【００２６】
ここで、例えば昇降機１が走行中にドア関係の故障が発生し非常停止した場合、昇降機１において捕捉デバイス情報Ａ２にある非常停止回数がカウントアップする。このとき昇降機１においてＡ４の判定条件のＢが、判定式Ａ４４及びＡ４５と比較し有効となるため、判定回路図Ａ３においてＢが有効となり、判定回路全体として有効となる。これにより昇降機１の制御部２は、捕捉デバイス情報一覧表Ａ２に登録済みのデバイスＡ２２のデータを、昇降機１のデータアドレスＡ２３からデータを読み出し、第１記憶部４に故障データを格納する。昇降機故障状態表示装置２１は、昇降機１の第１記憶部４に格納された前記故障データを、一般公衆回線１０を介して遠隔で取得し、昇降機保守会社の技術者は、捕捉デバイス情報一覧表Ａ２に登録済みの前記故障データを確認し故障の原意究明を行う。また、捕捉デバイス情報一覧表Ａ２に登録済みの主ＴＣＤを確認すると、データが”４３ ”となっており、前記技術者は前記データをもとに故障の原因を推定することができる。
【００２７】
このような実施の形態によれば、昇降機に通常想定することができないような特殊な故障が発生した場合、その故障調査を実施する為に、当該昇降機を停止させることなく、昇降機保守会社の事務所内から故障調査を実施することができ、故障調査効率の向上が可能となる。さらに故障調査に必要と考えられる故障データ、及び故障データを捕捉する条件についても任意に設定することができ、確実な故障調査を実施することができる。
【図面の簡単な説明】
【００２８】
【図１】本発明による昇降機故障状態表示装置の一実施形態を示すブロック構成図である。
【図２】本発明に係わる昇降機の故障調査方法の一実施形態を示すフローチャートである。
【図３】本発明に係わる昇降機の故障調査用の情報を、昇降機故障状態装置に表示した場合の一画面例である。
【図４】本発明に係わる昇降機の故障調査情報の、捕捉デバイスと捕捉トリガ条件の任意設定パターンを示す一画面例ある。
【符号の説明】
【００２９】
１  昇降機
２  制御部
３  通信部
４  第１記憶部
５  第２記憶部
６  第３記憶部
１０  一般公衆回線
２１  昇降機故障状態表示装置  
２２  制御部
２３  通信部
２４  表示部
２５  入力部
２６  第１記憶部
２７  第２記憶部
２８  第３記憶部
２９  第４記憶部
【図１】
2005206320.tif 000003
【図２】
2005206320.tif 000004
【図３】
2005206320.tif 000005
【図４】
2005206320.tif 000006